(57)【要約】【課題】平滑用コンデンサに蓄積された電荷を放電するための回路を別途設けることなく、平滑用コンデンサに蓄積された電荷を放電することができる電子装置を提供する。【解決手段】充電装置１は、バッテリＢ１に供給される電圧を検出し、検出結果を出力する電圧検出回路１２を備えている。電圧検出回路１２は、平滑用コンデンサ１１に蓄積された電荷によって充電される電圧検出用コンデンサ１２４と、電圧検出用コンデンサ１２４に流れる電流を制限する電流制限用抵抗１２０、１２１とを有している。そして、電圧検出回路１２の電流制限用抵抗１２０、１２１を利用して平滑用コンデンサ１１に蓄積された電荷を放電する。そのため、放電のための回路を別途設けることなく、平滑用コンデンサ１１に蓄積された電荷を放電することができる。【選択図】図１
2015065734.tif 000002
【特許請求の範囲】
【請求項１】
供給される直流を平滑化して負荷に供給する平滑用コンデンサ（１１、２１）を備え、
前記負荷が前記平滑用コンデンサから切断されたとき、前記平滑用コンデンサに蓄積された電荷を放電する電子装置において、
必要に応じて前記平滑用コンデンサに並列接続され、前記平滑用コンデンサに蓄積された電荷によって充電される電圧検出用コンデンサ（１２４、２２４）と、前記平滑用コンデンサと前記電圧検出用コンデンサの間に接続され、前記電圧検出用コンデンサに流れる電流を制限する電流制限用抵抗（１２０、１２１、２２０、２２１）とを有し、前記電圧検出用コンデンサの電圧に基づいて前記負荷に供給される電圧を検出し、検出結果を出力する電圧検出回路（１２、２２）を備え、
前記負荷が前記平滑用コンデンサから切断されたとき、前記電流制限用抵抗を介して
前記平滑用コンデンサの両端を接続し、前記平滑用コンデンサに蓄積された電荷を放電することを特徴とする電子装置。
【請求項２】
前記電圧検出回路は、前記電圧検出用コンデンサに並列接続され、必要に応じて前記電圧検出用コンデンサに蓄積された電荷を放電する放電回路（１２５）を有し、
前記負荷が前記平滑用コンデンサから切断されたとき、前記電流制限用抵抗及び前記放電回路を介して前記平滑用コンデンサの両端を接続し、前記平滑用コンデンサに蓄積された電荷を放電することを特徴とする請求項１に記載の電子装置。
【請求項３】
前記放電回路は、直列接続された放電用抵抗（１２５ａ）及び放電用スイッチ（１２５ｂ）を有することを特徴とする請求項２に記載の電子装置。
【請求項４】
前記電流制限用抵抗を介して前記平滑用コンデンサの両端を接続する閉回路用スイッチ（２３）を有し、
前記負荷が前記平滑用コンデンサから切断されたとき、前記電流制限用抵抗及び前記閉回路用スイッチを介して前記平滑用コンデンサの両端を接続し、前記平滑用コンデンサに蓄積された電荷を放電することを特徴とする請求項１に記載の電子装置。
【請求項５】
前記電圧検出回路は、前記平滑用コンデンサに蓄積された電荷を放電した後、前記電圧検出用コンデンサを前記平滑用コンデンサに並列接続し、前記電圧検出用コンデンサの電圧に基づいて前記平滑用コンデンサの電圧を検出し、検出結果を出力することを特徴とする請求項１〜４のいずれか１項に記載の電子装置。
【発明の詳細な説明】
【技術分野】
【０００１】
本発明は、供給される直流を平滑化して負荷に供給する平滑用コンデンサを備え、負荷が平滑用コンデンサから切断されたとき、平滑用コンデンサに蓄積された電荷を放電する電子装置に関する。
【背景技術】
【０００２】
従来、供給される直流を平滑化して負荷に供給する平滑用コンデンサを備え、負荷が平滑用コンデンサから切断されたとき、平滑用コンデンサに蓄積された電荷を放電する電子装置として、例えば以下に示す特許文献１に開示されているハイブリッド車両用電源装置がある。
【０００３】
このハイブリッド車両用電源装置は、昇圧コンバータと、インバータと、平滑用コンデンサと、放電用抵抗とを備えている。
【０００４】
昇圧コンバータの入力端は、バッテリに接続されている。平滑用コンデンサは、昇圧コンバータの入力端の間に接続されている。インバータの入力端は昇圧コンバータの出力端に、出力端はモータジェネレータにそれぞれ接続されている。平滑用コンデンサは、インバータの入力端の間にも接続されている。放電用抵抗は、昇圧コンバータの出力端の間に接続されている。
【０００５】
昇圧コンバータの入力端の間に接続された平滑用コンデンサは、バッテリから供給される直流を平滑化する。昇圧コンバータは、平滑用コンデンサによって平滑化された直流を高電圧の直流に変換して出力する。インバータの入力端の間に接続された平滑用コンデンサは、昇圧コンバータから供給される直流を平滑化する。インバータは、平滑用コンデンサによって平滑化された直流を交流に変換してモータジェネレータに供給する。
【０００６】
直流を平滑化する際、平滑用コンデンサに電荷が蓄積される。この状態で、昇圧コンバータの入力端からバッテリが切断されたり、昇圧コンバータとインバータを接続する配線が切断されたりすると、平滑用コンデンサに電荷が蓄積されたままとなる。
【０００７】
しかし、ハイブリッド車両用電源装置は、昇圧コンバータの出力端の間に放電用抵抗が接続されている。放電用抵抗は、平滑用コンデンサに蓄積された電荷を放電するために別途設けられた専用の素子である。そのため、放電用抵抗を介して平滑用コンデンサに蓄積された電荷を放電することができる。従って、平滑用コンデンサに蓄積された電荷による感電を防止することができる。
【先行技術文献】
【特許文献】
【０００８】
【特許文献１】特開２００５−２５３２７６号公報
【発明の概要】
【発明が解決しようとする課題】
【０００９】
しかし、前述したハイブリッド車両用電源装置では、平滑用コンデンサに蓄積された電荷を放電するため、放電用抵抗を別途設けなければならない。場合によっては、放電用抵抗を接続又は切断するためのスイッチも必要となる。そのため、部品点数が増加し、それに伴って装置が大型化してしまうという問題があった。
【００１０】
本発明はこのような事情に鑑みてなされたものであり、平滑用コンデンサに蓄積された電荷を放電するための回路を別途設けることなく、平滑用コンデンサに蓄積された電荷を放電することができる電子装置を提供することを目的とする。
【課題を解決するための手段】
【００１１】
上記課題を解決するためになされた本発明は、供給される直流を平滑化する平滑用コンデンサを備え、負荷が平滑用コンデンサから切断されたとき、平滑用コンデンサに蓄積された電荷を放電する電子装置において、必要に応じて平滑用コンデンサに並列接続され、平滑用コンデンサに蓄積された電荷によって充電される電圧検出用コンデンサと、平滑用コンデンサと電圧検出用コンデンサの間に接続され、電圧検出用コンデンサに流れる電流を制限する電流制限用抵抗とを有し、電圧検出用コンデンサの電圧に基づいて負荷に供給される電圧を検出し、検出結果を出力する電圧検出回路を備え、負荷が平滑用コンデンサから切断されたとき、電流制限用抵抗を介して平滑用コンデンサの両端を接続し、平滑用コンデンサに蓄積された電荷を放電することを特徴とする。
【００１２】
この構成によれば、負荷に供給される電圧を検出し、検出結果を出力する電圧検出回路を備えている。そして、この電圧検出回路の電流制限用抵抗を利用して平滑用コンデンサに蓄積された電荷を放電する。そのため、平滑用コンデンサに蓄積された電荷を放電するための回路を別途設けることなく、平滑用コンデンサに蓄積された電荷を放電することができる。従って、部品点数の増加や、それに伴う装置の大型化を抑えることができる。
【図面の簡単な説明】
【００１３】
【図１】第１実施形態における充電装置の回路図である。
【図２】図１に示す充電装置の動作を説明するためのタイミングチャートである。
【図３】第２実施形態における充電装置の回路図である。
【図４】図３に示す充電装置の動作を説明するためのタイミングチャートである。
【図５】図３に示す充電装置の第１の変形形態の回路図である。
【図６】図３に示す充電装置の第２の変形形態の回路図である。
【図７】図３に示す充電装置の第３の変形形態の回路図である。
【発明を実施するための形態】
【００１４】
次に、実施形態を挙げ、本発明をより詳しく説明する。本実施形態では、本発明に係る電子装置を、車両に搭載されたバッテリを充電する充電装置に適用した例を示す。
【００１５】
（第１実施形態）
まず、図１を参照して第１実施形態の充電装置の構成について説明する。
【００１６】
図１に示す充電装置１（電子装置）は、電源ＰＳ１から供給される電力を所定電圧の直流に変換して、車両に搭載されたバッテリＢ１（負荷）に供給し、バッテリＢ１を充電する装置である。ここで、バッテリＢ１は、主に車両駆動用モータに電力を供給するための高電圧のバッテリである。充電装置１は、電力変換回路１０と、平滑用コンデンサ１１と、電圧検出回路１２とを備えている。
【００１７】
電力変換回路１０は、電源ＰＳ１から供給される電力を、バッテリＢ１の充電に適した所定電圧の直流に変換して出力する回路である。電力変換回路１０の一対の入力端は電源ＰＳ１の正極出力端及び負極出力端に接続され、正極出力端及び負極出力端は平滑用コンデンサ１１にそれぞれ接続されている。
【００１８】
平滑用コンデンサ１１は、電力変換回路１０から供給される直流を平滑化してバッテリＢ１に供給する素子である。平滑用コンデンサ１１の一端は、電力変換回路１０の正極出力端に接続されるとともに、リレーＳＭＲ１０を介してバッテリＢ１の正極端に接続されている。また、他端は、電力変換回路１０の負極出力端に接続されるとともに、リレーＳＭＲ１１を介してバッテリＢ１の負極端に接続されている。さらに、平滑用コンデンサ１１の一端及び他端は、電圧検出回路１２にそれぞれ接続されている。
【００１９】
電圧検出回路１２は、バッテリＢ１に供給される電圧を検出し、検出結果に応じたデジタルデータを出力する回路である。つまり、バッテリＢ１の電圧を検出する回路である。電圧検出回路１２は、電流制限用抵抗１２０、１２１と、スイッチ１２２、１２３と、電圧検出用コンデンサ１２４と、放電回路１２５と、スイッチ１２６、１２７と、増幅器１２８と、Ａ／Ｄ変換回路１２９とを備えている。
【００２０】
電流制限用抵抗１２０、１２１は、電圧検出用コンデンサ１２４に流れる電流を制限する素子である。電流制限用抵抗１２０の一端は平滑用コンデンサ１１の一端に、他端はスイッチ１２２にそれぞれ接続されている。電流制限用抵抗１２１の一端は平滑用コンデンサ１１の他端に、他端はスイッチ１２３にそれぞれ接続されている。
【００２１】
スイッチ１２２、１２３は、電流制限用抵抗１２０、１２１を、電圧検出用コンデンサ１２４に接続、又は、電圧検出用コンデンサ１２４から切断する素子である。スイッチ１２２の一端は電流制限用抵抗１２０の他端に、他端は電圧検出用コンデンサ１２４にそれぞれ接続されている。スイッチ１２３の一端は電流制限用抵抗１２１の他端に、他端は電圧検出用コンデンサ１２４にそれぞれ接続されている。
【００２２】
電圧検出用コンデンサ１２４は、必要に応じて平滑用コンデンサ１１に並列接続され、平滑用コンデンサ１１に蓄積された電荷によって充電され、バッテリＢ１に供給される電圧を保持する素子である。つまり、バッテリＢ１の電圧を保持する素子である。電圧検出用コンデンサ１２４の一端はスイッチ１２２の他端に、他端はスイッチ１２３の他端にそれぞれ接続されている。
【００２３】
放電回路１２５は、電圧検出用コンデンサ１２４に並列接続され、必要に応じて電圧検出用コンデンサ１２４に蓄積された電荷を放電する回路である。放電回路１２５は、放電用抵抗１２５ａと、放電用スイッチ１２５ｂとを備えている。
【００２４】
放電用抵抗１２５ａは、電圧検出用コンデンサ１２４に蓄積された電荷を放電する際に、電圧検出用コンデンサ１２４に流れる放電電流を制限する素子である。放電用抵抗１２５ａの一端は放電用スイッチ１２５ｂに、他端は電圧検出用コンデンサ１２４の他端にそれぞれ接続されている。
【００２５】
放電用スイッチ１２５ｂは、放電用抵抗１２５ａを電圧検出用コンデンサ１２４に接続、又は、電圧検出用コンデンサ１２４から切断する素子である。放電用スイッチ１２５ｂの一端は電圧検出用コンデンサ１２４の一端に、他端は放電用抵抗１２５ａの一端にそれぞれ接続されている。
【００２６】
スイッチ１２６、１２７は、電圧検出用コンデンサ１２４を増幅器１２８に接続、又は、増幅器１２８から切断する素子である。スイッチ１２６の一端は電圧検出用コンデンサ１２４の一端に、他端は増幅器１２８にそれぞれ接続されている。スイッチ１２７の一端は電圧検出用コンデンサ１２４の他端に、他端は増幅器１２８にそれぞれ接続されている。
【００２７】
増幅器１２８は、電圧検出用コンデンサ１２４の端子間電圧を増幅して出力する回路である。具体的には、Ａ／Ｄ変換回路１２９の入力に適した電圧に変換して出力する回路である。増幅器１２８の一方の入力端はスイッチ１２６の他端に、他方の入力端はスイッチ１２７の他端に、出力端はＡ／Ｄ変換回路１２９にそれぞれ接続されている。
【００２８】
Ａ／Ｄ変換回路１２９は、増幅器１２８の出力する電圧をデジタルデータに変換して出力する回路である。具体的には、マイクロコンピュータに内蔵されたＡ／Ｄ変換部である。Ａ／Ｄ変換回路１２９の入力端は、増幅器１２８の出力端に接続されている。
【００２９】
次に、図１及び図２を参照して第１実施形態の充電装置の動作について説明する。
【００３０】
図１に示す充電装置１によってバッテリＢ１を充電する場合、リレーＳＭＲ１０、ＳＭＲ１１がオンする。これにより、充電装置１が、リレーＳＭＲ１０、ＳＭＲ１１を介してバッテリＢ１に接続される。
【００３１】
電力変換回路１０は、電源ＰＳ１から供給される電力を、バッテリＢ１の充電に適した所定電圧の直流に変換して出力する。平滑用コンデンサ１１は、電力変換回路１０から供給される直流を平滑化し、バッテリＢ１に供給する。これにより、バッテリＢ１が充電される。
【００３２】
充電装置１によってバッテリＢ１を充電している場合、電力変換回路１０から供給される直流によって、平滑用コンデンサ１１に電荷が蓄積される。平滑用コンデンサ１１の電圧は、バッテリＢ１の電圧と同一になる。
【００３３】
電圧検出回路１２は、図２に示すように、時刻ｔ１００〜ｔ１０１の間、スイッチ１２２、１２３だけをオンする。ここで、時刻ｔ１００〜ｔ１０１までの時間は、電圧検出用コンデンサ１２４を充電するのに充分な時間に設定されている。これにより、図１に示す電圧検出用コンデンサ１２４の一端がスイッチ１２２及び電流制限用抵抗１２０を介して平滑用コンデンサ１１の一端に、他端がスイッチ１２３及び電流制限用抵抗１２１を介して平滑用コンデンサ１１の他端にそれぞれ接続される。つまり、電圧検出用コンデンサ１２４が、電流制限用抵抗１２０、１２１及びスイッチ１２２、１２３を介して平滑用コンデンサ１１に並列接続される。電圧検出用コンデンサ１２４は、平滑用コンデンサ１１に蓄積された電荷によって充電され、バッテリＢ１に供給される電圧を保持する。つまり、バッテリＢ１の電圧を保持する。
【００３４】
その後、電圧検出回路１２は、図２に示すように、時刻ｔ１０２〜ｔ１０３の間、スイッチ１２６、１２７だけをオンする。ここで、時刻ｔ１０２〜ｔ１０３までの時間は、電圧検出用コンデンサ１２４の電圧をデジタルデータに変換するのに充分な時間に設定されている。これにより、図１に示す電圧検出用コンデンサ１２４の一端がスイッチ１２６を介して増幅器１２８の一方の入力端に、他端がスイッチ１２７を介して増幅器１２８の他方の入力端にそれぞれ接続される。増幅器１２８は、電圧検出用コンデンサ１２４の端子間電圧を、Ａ／Ｄ変換回路１２９の入力に適した電圧に変換して出力する。Ａ／Ｄ変換回路１２９は、増幅器１２８の出力する電圧をデジタルデータに変換して出力する。つまり、バッテリＢ１の電圧をデジタルデータとして出力する。
【００３５】
その後、電圧検出回路１２は、図２に示すように、時刻ｔ１０４〜ｔ１０５の間、放電用スイッチ１２５ｂだけをオンする。ここで、時刻ｔ１０４〜ｔ１０５までの時間は、電圧検出用コンデンサ１２４を放電するのに充分な時間に設定されている。これにより、図１に示す電圧検出用コンデンサ１２４の一端と他端が、放電用スイッチ１２５ｂ及び放電用抵抗１２５ａを介して接続される。その結果、電圧検出用コンデンサ１２４に蓄積された電荷が放電用抵抗１２５ａを介して放電され、電圧検出用コンデンサ１２４の電圧が０になる。
【００３６】
その後、電圧検出回路１２は、図２に示すように、時刻ｔ１０５〜ｔ１０６の間、時刻ｔ１００〜ｔ１０１における動作と同様の動作を行う。そして、時刻ｔ１０７〜ｔ１０８の間、時刻ｔ１０２〜ｔ１０３における動作と同様の動作を行う。図１に示す電圧検出回路１２が平滑用コンデンサ１１に接続されている場合、電圧検出回路１２は、バッテリＢ１の電圧をデジタルデータとして出力する。しかし、電圧検出回路１２が断線やスイッチ１２２、１２３の故障により平滑用コンデンサ１１に接続されていない場合、電圧検出回路１２は、０Ｖを示すデジタルデータを出力する。そのため、電圧検出回路１２の出力に基づいて、電圧検出回路１２と平滑用コンデンサ１１の間で断線等が発生しないか否かを判断することができる。
【００３７】
ところで、充電装置１がバッテリＢ１の充電を停止した場合、又は、充電装置１で異常が発生した場合、リレーＳＭＲ１０、ＳＭＲ１１がオフする。その結果、バッテリＢ１が平滑用コンデンサ１１から切断され、平滑用コンデンサ１１に電荷が蓄積されたままとなる。
【００３８】
電圧検出回路１２は、図２に示すように、時刻ｔ１０９〜ｔ１１０の間、スイッチ１２２、１２３及び放電用スイッチ１２５ｂだけをオンする。ここで、時刻ｔ１０９〜ｔ１１０までの時間は、平滑用コンデンサ１１を放電するのに充分な時間に設定されている。これにより、図１に示す平滑用コンデンサ１１の一端と他端が、電流制限用抵抗１２０、スイッチ１２２、放電用スイッチ１２５ｂ、放電用抵抗１２５ａ、スイッチ１２３及び電流制限用抵抗１２１を介して接続される。その結果、平滑用コンデンサ１１に蓄積された電荷が電流制限用抵抗１２０、１２１及び放電用抵抗１２５ａを介して放電される。
【００３９】
その後、電圧検出回路１２は、図２に示すように、時刻ｔ１１０〜ｔ１１１の間、放電用スイッチ１２５ｂだけをオンする。ここで、時刻ｔ１１０〜ｔ１１１までの時間は、電圧検出用コンデンサ１２４を放電するのに充分な時間に設定されている。これにより、図１に示す電圧検出用コンデンサ１２４の一端と他端が、放電用スイッチ１２５ｂ及び放電用抵抗１２５ａを介して接続される。その結果、電圧検出用コンデンサ１２４に蓄積された電荷が放電用抵抗１２５ａを介して放電される。
【００４０】
その後、電圧検出回路１２は、図２に示すように、時刻ｔ１１２〜ｔ１１３の間、スイッチ１２６、１２７だけをオンする。ここで、時刻ｔ１１２〜ｔ１１３までの時間は、電圧検出用コンデンサ１２４の電圧をデジタルデータに変換するのに充分な時間に設定されている。これにより、図１に示す電圧検出用コンデンサ１２４の一端がスイッチ１２６を介して増幅器１２８の一方の入力端に、他端がスイッチ１２７を介して増幅器１２８の他方の入力端にそれぞれ接続される。増幅器１２８は、電圧検出用コンデンサ１２４の端子間電圧を、Ａ／Ｄ変換回路１２９の入力に適した電圧に変換して出力する。Ａ／Ｄ変換回路１２９は、増幅器１２８の出力する電圧をデジタルデータに変換して出力する。つまり、平滑用コンデンサ１１の電圧をデジタルデータとして出力する。平滑用コンデンサ１１が完全に放電されている場合、電圧検出回路１２は、０Ｖを示すデジタルデータを出力する。しかし、平滑用コンデンサ１１が完全に放電されていない場合、電圧検出回路１２は、０Ｖ以外を示すデジタルデータを出力する。そのため、電圧検出回路１２の出力に基づいて、平滑用コンデンサ１１が完全に放電されたか否かを判断することができる。
【００４１】
次に、第１実施形態の効果について説明する。
【００４２】
第１実施形態によれば、バッテリＢ１に供給される電圧を検出し、検出結果を出力する電圧検出回路１２を備えている。そして、この電圧検出回路１２の電流制限用抵抗１２０、１２１を利用して平滑用コンデンサ１１に蓄積された電荷を放電する。そのため、平滑用コンデンサ１１に蓄積された電荷を放電するための回路を別途設けることなく、平滑用コンデンサ１１に蓄積された電荷を放電することができる。従って、部品点数の増加や、それに伴う装置の大型化を抑えることができる。
【００４３】
第１実施形態によれば、電圧検出回路１２は、電圧検出用コンデンサ１２４に並列接続され、必要に応じて電圧検出用コンデンサ１２４に蓄積された電荷を放電する放電回路１２５を有している。そして、バッテリＢ１が平滑用コンデンサ１１から切断されたとき、電流制限用抵抗１２０、１２１及び放電回路１２５を介して平滑用コンデンサ１１の両端を接続し、平滑用コンデンサ１１に蓄積された電荷を放電する。そのため、平滑用コンデンサ１１に蓄積された電荷を放電するための回路を別途設けることなく、平滑用コンデンサ１１に蓄積された電荷を確実に放電することができる。
【００４４】
第１実施形態によれば、放電回路１２５は、直列接続された放電用抵抗１２５ａ及び放電用スイッチ１２５ｂを有している。そのため、バッテリＢ１が平滑用コンデンサ１１から切断されたとき、電流制限用抵抗１２０、１２１及び放電用抵抗１２５ａを介して平滑用コンデンサ１１の両端を接続し、平滑用コンデンサ１１に蓄積された電荷を確実に放電することができる。
【００４５】
第１実施形態によれば、電圧検出回路１２は、平滑用コンデンサ１１に蓄積された電荷を放電した後、電圧検出用コンデンサ１２４を平滑用コンデンサ１１に並列接続し、電圧検出用コンデンサ１２４の電圧に基づいて平滑用コンデンサ１１の電圧を検出し、検出結果を出力する。そのため、電圧検出回路１２の出力に基づいて、平滑用コンデンサ１１が完全に放電されたか否かを判断することができる。
【００４６】
（第２実施形態）
次に、第２実施形態の充電装置について説明する。第２実施形態の充電装置は、第１実施形態の充電装置が、電圧検出回路の構成要素を利用して平滑用コンデンサを放電するのに対して、電圧検出回路の構成要素と別途設けた閉回路用スイッチによって平滑用コンデンサを放電するようにしたものである。
【００４７】
まず、図３を参照して第２実施形態の充電装置の構成について説明する。
【００４８】
図３に示す充電装置２は、電源ＰＳ２から供給される電力を所定電圧の直流に変換して車両に搭載されたバッテリＢ２（負荷）に供給し、バッテリＢ２を充電する装置である。充電装置２は、電力変換回路２０と、平滑用コンデンサ２１と、電圧検出回路２２と、閉回路用スイッチ２３とを備えている。
【００４９】
電力変換回路２０及び平滑用コンデンサ２１は、第１実施形態の電力変換回路１０及び平滑用コンデンサ１１と同一の回路及び素子である。電力変換回路２０の一対の入力端は、電源ＰＳ２の正極出力端及び負極出力端にそれぞれ接続されている。平滑用コンデンサ２１の一端及び他端はリレーＳＭＲ２０、ＳＭＲ２１を介してバッテリＢ２の正極端及び負極端にそれぞれ接続されるとともに、電圧検出回路２２にそれぞれ接続されている。
【００５０】
電圧検出回路２２は、バッテリＢ２に供給される電圧を検出し、検出結果に応じたデジタルデータを出力する回路である。つまり、バッテリＢ２の電圧を検出する回路である。電圧検出回路２２は、電流制限用抵抗２２０、２２１と、スイッチ２２２、２２３と、電圧検出用コンデンサ２２４と、スイッチ２２６、２２７と、増幅器２２８と、Ａ／Ｄ変換回路２２９とを備えている。第１実施形態の放電回路１２５に相当する回路は備えていない。電圧検出回路２２は、第１実施形態の電圧検出回路１２から放電回路１２５を除いたものである。電流制限用抵抗２２０、２２１、スイッチ２２２、２２３、電圧検出用コンデンサ２２４、スイッチ２２６、２２７、増幅器２２８及びＡ／Ｄ変換回路２２９は、第１実施形態の電流制限用抵抗１２０、１２１、スイッチ１２２、１２３、電圧検出用コンデンサ１２４、スイッチ１２６、１２７、増幅器１２８及びＡ／Ｄ変換回路１２９と同一の素子及び回路であり、同一構成である。
【００５１】
閉回路用スイッチ２３は、スイッチ２２２の他端をスイッチ２２３の他端に接続、又は、スイッチ２２３の他端から切断する素子である。閉回路用スイッチ２３の一端はスイッチ２２２の他端に、他端はスイッチ２２３の他端にそれぞれ接続されている。
【００５２】
次に、図３及び図４を参照して第２実施形態の充電装置の動作について説明する。バッテリＢ２の充電動作は、第１実施形態の充電装置１と同一であるため説明を省略する。電圧検出回路２２によるバッテリＢ２の電圧検出動作、電圧検出回路２２及び閉回路用スイッチ２３による平滑用コンデンサ２１の放電動作について説明する。
【００５３】
電圧検出回路２２は、図４に示すように、時刻ｔ２００〜ｔ２０１の間、スイッチ２２２、２２３だけをオンする。ここで、時刻ｔ２００〜ｔ２０１までの時間は、電圧検出用コンデンサ２２４を充電するのに充分な時間に設定されている。これにより、図３に示す電圧検出用コンデンサ２２４が、電流制限用抵抗２２０、２２１及びスイッチ２２２、２２３を介して平滑用コンデンサ２１に並列接続される。電圧検出用コンデンサ２２４は、平滑用コンデンサ２１に蓄積された電荷によって充電され、バッテリＢ２に供給される電圧を保持する。つまり、バッテリＢ２の電圧を保持する。
【００５４】
その後、電圧検出回路２２は、図４に示すように、時刻ｔ２０２〜ｔ２０３の間、スイッチ２２６、２２７だけをオンする。ここで、時刻ｔ２０２〜ｔ２０３までの時間は、電圧検出用コンデンサ２２４の電圧をデジタルデータに変換するのに充分な時間に設定されている。これにより、図３に示す電圧検出用コンデンサ２２４が、増幅器２２８に接続される。増幅器２２８は、電圧検出用コンデンサ２２４の端子間電圧を、Ａ／Ｄ変換回路２２９の入力に適した電圧に変換して出力する。Ａ／Ｄ変換回路２２９は、増幅器２２８の出力する電圧をデジタルデータに変換して出力する。つまり、バッテリＢ２の電圧をデジタルデータとして出力する。
【００５５】
ところで、充電装置２がバッテリＢ２の充電を停止した場合、又は、充電装置２で異常が発生した場合、リレーＳＭＲ２０、ＳＭＲ２１がオフする。その結果、バッテリＢ２が平滑用コンデンサ２１から切断され、平滑用コンデンサ２１に電荷が蓄積されたままとなる。
【００５６】
電圧検出回路２２は、図４に示すように、時刻ｔ２０４〜ｔ２０５の間、スイッチ２２２、２２３及び閉回路用スイッチ２３だけをオンする。ここで、時刻ｔ２０４〜ｔ２０５までの時間は、平滑用コンデンサ２１を放電するのに充分な時間に設定されている。これにより、図３に示す平滑用コンデンサ２１の一端と他端が、電流制限用抵抗２２０、スイッチ２２２、閉回路用スイッチ２３、スイッチ２２３及び電流制限用抵抗２２１を介して接続される。その結果、平滑用コンデンサ２１に蓄積された電荷が電流制限用抵抗２２０、２２１を介して放電される。
【００５７】
その後、電圧検出回路２２は、図４に示すように、時刻ｔ２０５〜ｔ２０６の間、閉回路用スイッチ２３だけをオンする。ここで、時刻ｔ２０５〜ｔ２０６までの時間は、電圧検出用コンデンサ２２４を放電するのに充分な時間に設定されている。これにより、図３に示す電圧検出用コンデンサ２２４の一端と他端が、閉回路用スイッチ２３を介して接続される。その結果、電圧検出用コンデンサ２２４に蓄積された電荷が放電される。
【００５８】
その後、電圧検出回路２２は、図４に示すように、時刻ｔ２０７〜ｔ２０８の間、スイッチ２２６、２２７だけをオンする。ここで、時刻ｔ２０７〜ｔ２０８までの時間は、電圧検出用コンデンサ２２４の電圧をデジタルデータに変換するのに充分な時間に設定されている。これにより、図３に示す電圧検出用コンデンサ２２４が、増幅器２２８に接続される。増幅器２２８は、電圧検出用コンデンサ２２４の端子間電圧を、Ａ／Ｄ変換回路２２９の入力に適した電圧に変換して出力する。Ａ／Ｄ変換回路２２９は、増幅器２２８の出力する電圧をデジタルデータに変換して出力する。つまり、平滑用コンデンサ２１の電圧をデジタルデータとして出力する。そのため、電圧検出回路２２の出力に基づいて、平滑用コンデンサ２１が完全に放電されたか否かを判断することができる。
【００５９】
次に、第２実施形態の充電装置の効果について説明する。
【００６０】
第２実施形態によれば、バッテリＢ２に供給される電圧を検出し、検出結果を出力する電圧検出回路２２を備えている。そして、この電圧検出回路２２の電流制限用抵抗２２０、２２１を利用して平滑用コンデンサ２１に蓄積された電荷を放電する。そのため、平滑用コンデンサ２１に蓄積された電荷を放電するための回路を別途設けることなく、平滑用コンデンサ２１に蓄積された電荷を放電することができる。従って、第１実施形態の充電装置１に比べて、閉回路用スイッチ２３が増えるものの、従来に比べ、部品点数の増加や、それに伴う装置の大型化を抑えることができる。
【００６１】
第２実施形態によれば、充電装置２は、電流制限用抵抗２２０、２２１を介して平滑用コンデンサ２１の両端を接続する閉回路用スイッチ２３を有している。そして、バッテリＢ２が平滑用コンデンサ２１から切断されたとき、電流制限用抵抗２２０、２２１及び閉回路用スイッチ２３を介して平滑用コンデンサ２１の両端を接続し、平滑用コンデンサ２１に蓄積された電荷を放電する。そのため、平滑用コンデンサ２１に蓄積された電荷を放電するための回路を別途設けることなく、平滑用コンデンサ２１に蓄積された電荷を確実に放電することができる。
【００６２】
第２実施形態によれば、電圧検出回路２２は、平滑用コンデンサ２１に蓄積された電荷を放電した後、電圧検出用コンデンサ２２４を平滑用コンデンサ２１に並列接続し、電圧検出用コンデンサ２２４の電圧に基づいて平滑用コンデンサ２１の電圧を検出し、検出結果を出力する。そのため、電圧検出回路２２の出力に基づいて、平滑用コンデンサ２１が完全に放電されたか否かを判断することができる。
【００６３】
なお、第２実施形態では、閉回路用スイッチ２３の一端がスイッチ２２２の他端に、他端がスイッチ２２３の他端にそれぞれ接続されている例を挙げているが、これに限られるものではない。図５に示すように、閉回路用スイッチ２３の一端が電流制限用抵抗２２０の他端に、他端が電流制限用抵抗２２１の他端にそれぞれ接続されていてもよい。また、図６に示すように、閉回路用スイッチ２３の一端が電流制限用抵抗２２０の他端に、他端が電流制限用抵抗２２１の一端にそれぞれ接続されていてもよい。さらに、図７に示すように、閉回路用スイッチ２３の一端が電流制限用抵抗２２０の一端に、他端が電流制限用抵抗２２１の他端にそれぞれ接続されていてもよい。いずれの場合も、電流制限用抵抗２２０、２２１の少なくともいずれかを介して、平滑用コンデンサ２１に蓄積された電荷を放電することができる。
【符号の説明】
【００６４】
１・・・充電装置（電子装置）、１０・・・電力変換回路、１１・・・平滑用コンデンサ、１２・・・電圧検出回路、１２０、１２１・・・電流制限用抵抗、１２２、１２３・・・スイッチ、１２４・・・電圧検出用コンデンサ、１２５・・・放電回路、１２５ａ・・・放電用抵抗、１２５ｂ・・・放電用スイッチ、１２６、１２７・・・スイッチ、ＰＳ１・・・電源、Ｂ１・・・バッテリ（負荷）
【図１】
2015065734.tif 000003
【図２】
2015065734.tif 000004
【図３】
2015065734.tif 000005
【図４】
2015065734.tif 000006
【図５】
2015065734.tif 000007
【図６】
2015065734.tif 000008
【図７】
2015065734.tif 000009